(57)【要約】ワイシャツ用の衣装バッグであって、襟（２６）を含むワイシャツの第１部分を収納する入れ物（５２）と、前記ワイシャツの残りを収納し、入れ物の周囲に巻き上げられるカバー（４０）と、を有し、入れ物は、カバーよりも大きな剛性を有する。１つの背面部、２つの正面部、２つのそで、および１つの襟を含むワイシャツを折りたたむ方法であって、背面の中心および背面と両正面部との間で、ワイシャツを折りたたみ、背面が２つの正面部の間で折りたたまれるようにするステップと、各正面部に沿って１つのそでを位置付けるステップと、襟を保護するステップと、保護される襟の周囲にワイシャツの残りを巻くステップと、を有する。好ましくは、ワイシャツを折りたたむ方法および衣装バッグは、いっしょに使用される。
2009518112.tif 000002
【特許請求の範囲】
【請求項１】
ワイシャツ用の衣装バッグであって、
襟を含む前記ワイシャツの第１部分を収納する入れ物と、
前記ワイシャツの残りを収納し、前記入れ物の周囲に巻き上げられるカバーと、を有し、
前記入れ物は、前記カバーよりも大きな剛性を有する、衣装バッグ。
【請求項２】
前記入れ物は、ポケットの形状をしている、請求項１に記載の衣装バッグ。
【請求項３】
前記入れ物はアーチ状の表面を有し、該表面にあてがうように前記カバーが巻かれている、請求項１または２に記載の衣装バッグ。
【請求項４】
前記カバーは、前記ワイシャツを収納することが可能な開口部を含む、請求項１から３のいずれか１つに記載の衣装バッグ。
【請求項５】
前記開口部は、長手方向にある、請求項４に記載の衣装バッグ。
【請求項６】
さらに、前記開口部を閉じる手段を有する、請求項４または５に記載の衣装バッグ。
【請求項７】
前記入れ物は、詰め込み−耐性がある、請求項１から６のいずれか１つに記載の衣装バッグ。
【請求項８】
さらに、前記カバーの反対面に接続され、巻き上げ構成において前記カバーを強固に締める締め具手段を有する、請求項１から７のいずれか１つに記載の衣装バッグ。
【請求項９】
前記入れ物および前記カバーは、大略同等の幅である、請求項１から８のいずれか１つに記載の衣装バッグ。
【請求項１０】
前記入れ物は、前記カバーを巻き上げることが可能な成型器の機能を果たす、請求項１から９のいずれか１つに記載の衣装バッグ。
【請求項１１】
前記カバーは、シート材料から形成される、請求項１から１０のいずれか１つに記載の衣装バッグ。
【請求項１２】
前記入れ物は、プラスチック材料から形成される、請求項１から１１のいずれか１つに記載の衣装バッグ。
【請求項１３】
前記カバーおよび前記入れ物は、防水性材料から形成される、請求項１から１２のいずれか１つに記載の衣装バッグ。
【請求項１４】
紙製品から形成される、請求項１から１０のいずれか１つに記載の衣装バッグ。
【請求項１５】
前記入れ物は、前記カバーに接続される、請求項１から１４のいずれか１つに記載の衣装バッグ。
【請求項１６】
前記入れ物は、前記カバーに取り外し可能なように接続される、請求項１５に記載の衣装バッグ。
【請求項１７】
前記入れ物は、前記カバーに付随する開口部に面する開口部を含む、請求項１５または１６に記載の衣装バッグ。
【請求項１８】
前記入れ物は、前記カバーから分離している、請求項１から１４のいずれか１つに記載の衣装バッグ。
【請求項１９】
前記バッグは、一回使用後に廃棄される、請求項１から１８のいずれか１つに記載の衣装バッグ。
【請求項２０】
請求項１から１９のいずれか１つに記載の衣装バッグと、前記衣装バッグの中に含まれるワイシャツとの組み合わせ。
【請求項２１】
販売用に、請求項１から１９のいずれか１つに記載の衣装バッグの中に梱包されたワイシャツ。
【請求項２２】
クリーニング後に、請求項１から１９のいずれか１つに記載の衣装バッグの中に梱包されたワイシャツ。
【請求項２３】
１つの背面部、２つの正面部、２つのそで、および１つの襟を含むワイシャツを折りたたむ方法であって、
背面の中心および各正面部と背面との間で、前記ワイシャツを折りたたみ、背面が２つの正面部の間で折りたたまれるようにするステップと、
各正面部に沿って１つのそでを位置付けるステップと、
前記襟を含む前記ワイシャツの一部を保護するステップと、
保護される部分の周囲に前記ワイシャツの残りを巻くステップと、を有する方法。
【請求項２４】
前記保護するステップの前に、
前記襟は、持ち上げられ、
前記ワイシャツは、前記襟に隣接して折りたたまれる、請求項２３に記載の方法。
【請求項２５】
正面部および背面は、コンサーティーナ形式で折りたたまれる、請求項２３または２４に記載の方法。
【請求項２６】
前記襟は、前記入れ物の中に置かれることにより、保護される、請求項２３から２５のいずれか１つに記載の方法。
【請求項２７】
前記ワイシャツの残りは、カバーの中に収納され、
前記カバーは、前記入れ物の周囲に巻き上げられる、請求項２３から２６のいずれか１つに記載の方法。
【請求項２８】
さらに、請求項１から１９のいずれか１つに記載の衣装バッグの中に、前記ワイシャツを配置するステップを有する、請求項２３から２５のいずれか１つに記載の方法。
【発明の詳細な説明】
【技術分野】
【０００１】
本発明は、ワイシャツの収納用に適した衣装バッグ、およびワイシャツを折りたたむ方法に関する。
【背景技術】
【０００２】
ワイシャツは、特にビジネスウェアは、特に旅行用または発送用に梱包されるときに、折り目が付きやすくなりがちである。従来、このようなワイシャツは、販売および展示の場合には、容易に輸送可能な特定のやり方で折りたたまれている。従来の折りたたむ方法では、ワイシャツはボタンがかけられ、両腕はワイシャツの背面に沿って平らに置かれ、両側面はワイシャツの背面の中央に向かって一定量だけ折りたたまれ、次にワイシャツは半分に折りたたまれる。特に、販売およびクリーニング業の用途にとっては、ワイシャツは、折り目を減らすために、この折りたたまれた形状で、背面および襟下を、紙またはプラスチックの支持材により支持され、ワイシャツは最後に外部容器により保護される。外部容器は、クリーニング業界に対しては、紙またはプラスチックバッグの形状をしていてもよいし、販売用途に対しては、より堅い透明プラスチックで作られていてもよい。
【０００３】
この折りたたむ方法の不利な点は、ワイシャツが、ワイシャツの両側面における正面および背面で、ならびにワイシャツの正面の半分で、折りたたまれることにより、折り目が目立つことである。さらにワイシャツを梱包するのに使用される支持材は、一般的に再利用できず、最終的に梱包されたワイシャツを、かなり嵩高くする。
【０００４】
英国特許出願第２２９１７９７号明細書において提案された、折りたたまれたワイシャツを梱包するケースは、「スタッフド（詰まった）ワイシャツ」の商標に基づいて販売され、上述したのと同様のやり方で折りたたまれたワイシャツに対する支持および保護を与えるが、再利用可能になっている。
【発明の開示】
【発明が解決しようとする課題】
【０００５】
しかしながら、この提案は、依然として、ワイシャツを上述したように折りたたむ必要があり、その結果折り目が付き、さらにケースが頑丈である必要があり、それゆえに嵩高く、高価になる不利な点を含む。
【０００６】
本発明の目的は、ワイシャツに対して容器および折りたたむ方法を与えることにより、従来例の不利な点のうち少なくとも１つを軽減し、および／または一般の人々に有用な選択を与えることである。
【課題を解決するための手段】
【０００７】
概括的には、本発明は、ワイシャツの襟を収納する相対的に堅い部分と、ワイシャツの残りを収納する相対的に柔軟性のある部分とを含む、ワイシャツ用の容器を与える。
【０００８】
第１の態様における本発明によれば、ワイシャツ用の衣装バッグであって、襟を含むワイシャツの第１部分を収納する入れ物と、ワイシャツの残りを収納し、入れ物の周囲に巻き上げられるカバーと、を有し、入れ物は、カバーよりも大きな剛性を有する、衣装バッグが与えられる。
【０００９】
好ましくは、入れ物はポケットの形状をしており、アーチ状の表面を有してもよく、表面にあてがうようにカバーが巻かれていてもよい。
【００１０】
カバーは、ワイシャツを収納することが可能な開口部を含んでもよく、開口部は、好ましくは長手方向にあり、および／または開口部を閉じる手段を含む。
【００１１】
入れ物は、好ましくは詰め込み−耐性がある。
【００１２】
衣装バッグは、さらに、カバーの反対面に接続され、巻き上げ構成においてカバーを強固に締める締め具手段を有してもよく、および／または、入れ物およびカバーは、大略同等の幅であってもよい。
【００１３】
好ましくは、入れ物は、カバーを巻き上げることが可能な成型器の機能を果たす。カバーは、好ましくはシート材料から形成され、入れ物は、好ましくはプラスチック材料から形成される。これらの材料は、さらに防水性があってもよい。
【００１４】
衣装バッグは、さらに紙製品から形成されてもよい。入れ物は、カバーに接続され、入れ物は、カバーに取り外し可能なように接続されてもよく、入れ物は、好ましくはカバーに付随する開口部に面する開口部を含んでいる。代案としては、入れ物は、カバーから分離してもよい。
【００１５】
バッグは、一回使用後に、再利用可能であってもよく、または廃棄されるつもりであってもよい。
【００１６】
本発明は、本発明の第１の態様における衣装バッグおよびその中に含まれるワイシャツ、ならびに、販売用にまたはクリーニング後にこのような衣装バッグの中に梱包されたワイシャツにまで及ぶ。
【００１７】
一代表例において説明される実施の形態は、本発明の範囲を限定しないが、入れ物は、襟を収納する詰め込み−保証ポケットとして形成され、カバーは、入れ物に接続される開閉可能な袋の形状をしている。説明される衣装バッグは、使いやすく軽量で、柔軟な梱包を与えることにより、小さなバッグ／ケースへの収納を促進する。
【００１８】
第２の態様における本発明によれば、１つの背面部、２つの正面部、２つのそで、および１つの襟を含むワイシャツを折りたたむ方法であって、背面の中心および各正面部と背面との間で、ワイシャツを折りたたみ、背面が２つの正面部の間で折りたたまれるようにするステップと、各正面部に沿って１つのそでを位置付けるステップと、襟を保護するステップと、保護される襟の周囲にワイシャツの残りを巻くステップと、を有する方法が与えられる。好ましくは、保護するステップの前に、襟は、持ち上げられ、ワイシャツは、襟に隣接して折りたたまれ、正面部および背面は、好ましくはコンサーティーナ形式で折りたたまれる。
【００１９】
襟は、好ましくは入れ物の中に置かれることにより保護され、ワイシャツの残りは、カバーの中に収納されてもよく、カバーは、入れ物の周囲に巻き上げられてもよい。
【００２０】
このやり方で折りたたまれたワイシャツは、ワイシャツの背面の中心に、（両腕を除いて）ワイシャツの本体上に唯一の目に見える折り目を必要とするという有利な点を有する。正面と背面との間の折り目は、背面を正面部につなぎ合わす縫い目が通常与えられる部分であり、ワイシャツが身に着けられるとき、両腕により隠される。それゆえに、このやり方で折りたたまれたワイシャツは、４つの長手方向の折り目（正面に２つ、背面に２つ）、ならびに正面および背面でワイシャツを半分にする２つの横方向の折り目を有する、従来例の折りたたむ方法よりも、目に見える折り目を減らす傾向にある。
【００２１】
好ましくは、本発明の第２の態様における折りたたむ方法は、本発明の第１の態様における衣装バッグとともに使用されることにより、折りたたまれ、巻かれた梱包を与える。
【発明の効果】
【００２２】
本発明の衣装バッグは、使いやすく軽量で、柔軟な梱包を与えることにより、小さなバッグ／ケースへの収納を促進する。本発明の方法で折りたたまれたワイシャツは、ワイシャツの背面の中心に、（両腕を除いて）ワイシャツの本体上に唯一の目に見える折り目を必要とするという有利な点を有する。正面と背面との間の折り目は、背面を正面部につなぎ合わす縫い目が通常与えられる部分であり、ワイシャツが身に着けられるとき、両腕により隠される。それゆえに、このやり方で折りたたまれたワイシャツは、４つの長手方向の折り目（正面に２つ、背面に２つ）、ならびに正面および背面でワイシャツを半分にする２つの横方向の折り目を有する、従来例の折りたたむ方法よりも、目に見える折り目を減らす傾向にある。
【発明を実施するための最良の形態】
【００２３】
ここにおいて、本発明の実施の形態は、添付の図面を参照して一例として説明される。
【００２４】
図１から図７を参照して、ワイシャツを折りたたむ方法が示される。ワイシャツは、２つの正面部１０、１２、ボタン１４および対応するボタン穴１５、そで１６、１８、そで口２０、２２、ワイシャツのすそ２５を含む背面２４、および襟２６を含む。背面２４は、相対的に長手方向の縫い目２８、３０において、各正面部１０、１２へつなぎ合わされる。
【００２５】
図１を参照して、ワイシャツのボタン１４が最初に外され、そで口２０、２２（ワイシャツが２重のそで口を含む場合）が引き伸ばされる。次に、図１においてＡと印を付けられた、ワイシャツの各正面部１０、１２の下すみが、示されるように、人差し指と親指との間でつかまれ、開かれることにより、図２に示されるように、ワイシャツの正面における開口部が、ワイシャツを折りたたむ人から見て外側に向くようになる。次に、図３に示されるように、２つのすみＡが、ワイシャツの後方にいっしょに持ってこられ、一方の手に保持され、ワイシャツのすそ２５の中点Ｂが、他方の手に保持される。両すみが背面の後方に持ってこられるから、ワイシャツの本体は、この時点で裏返しになっている。
【００２６】
次に、ワイシャツは、図４に示されるように平らに置かれ、上向きに面している側面部分１２のすみＡが、点Ｂに合うように縫い目２８で折り重ねられる。次に、ワイシャツはひっくり返され、図５に示されるように残っている側面部分１０のすみＡが、同様に点Ｂに合うように縫い目３０で折り重ねられ、それゆえに背面２４は各側面部分１０、１２間においてコンサーティーナ形式で折りたたまれる。この時点で、ワイシャツは、ワイシャツの本体におけるすべての層１０、２４、１２が平坦でしわのなくできていることを、検査されるべきである。
【００２７】
次に、襟２６が、図６に示されるように持ち上げられ、そで１６が正面部１０と平行に横たわるように位置付けられる。これにより、正面部１０および背面２４をつなぎ合わしている、そで１６の終端１７がしわのないことが確保される。
【００２８】
次に、ワイシャツはひっくり返され、図７に示されるようにそで１８に対して同じ過程が繰り返され、再びすべての層が平坦でしわのないことが確保される。
【００２９】
次に、この形式で折りたたまれたワイシャツは、図８から図１４を参照して以下に説明されるように、衣装バッグの中へ挿入される。
【００３０】
衣装バッグは、全体の寸法が８５ｃｍ×３６ｃｍであり、カバー４０を含む。カバー４０は、柔軟性のあるそでを保護し、ワイシャツの本体および両腕を収納する。カバー４０は、好ましくは軽量の防水性プラスチックシート材料、たとえばナイロン繊維またはポリエチレンシートから形成される。カバー４０は、正面４２、４３、および背面４４部分を含む。これらは、終端４５において、および長手方向の両側辺４６、４７に沿って、互いに封印される。長手方向のジッパー４８が、両正面部４２、４３間に与えられる。カバー４０は、開かれた終端５０を含み、終端５０において、背面部分４４は入れ物５２に接続される。入れ物５２は、ワイシャツの襟に対して詰め込み−保証ポケットを与え、図１３および図１４においてさらに詳細に示される。入れ物５２は、大略カバーと同等の幅であり、側面５４、５５、端部５６、５７、およびアーチ状の背面５８を含む。入れ物５２の正面６０は開かれており、入れ物は大略４ｃｍ幅で１６ｃｍ深さのポケットを形成している。カバー４０の背面部分４４は、たとえば接着剤、リベット／コネクタ、またはプラスチック溶着のようないずれか適切な手段により、入れ物５２の側面５５に接続される。好ましくは、入れ物５２は、大略２ｍｍの側面厚を有するポリエチレンから射出成形により、構造的完全性を有するが依然として若干曲げやすいように形成される。
【００３１】
使用するときに、カバー４０の正面部４２、４３は、図９に示されるようにジッパーで締められていない。次に、図７に示される、折りたたまれたワイシャツは、開かれたカバー４０の中に置かれる。襟２６は、軽く折りたたまれ、折りたたまれた部分がワイシャツ本体をつなぎ合わす。その結果、襟２６は、正面部１２の上方に、正面部１２の端１３に大略垂直になるように横たわる。次に、襟は、入れ物５２の中に挿入され、入れ物５２内に（ワイシャツ本体の少しといっしょに）すっかり納められる。図１０において、襟２６は、入れ物の中へ挿入される過程にあり、部分的にしまい込むように示される。
【００３２】
次に、カバーの正面部４２、４３は、ジッパーで締められる。入れ物５２は、図１１に示されるようにカバーの正面部上に巻かれ、次に入れ物５２がカバー用の成型器を与えながら、再び巻かれる。入れ物５２のアーチ状の表面５８は、滑らかに曲がった領域を与え、カバーが鋭角なエッジ無しに巻き続けられるようにし、折り目が付くのを避ける。これは、図１２に示されるようにカバーが入れ物５２の周囲に完全に巻き上げられるまで続く。ベルクロ（登録商標）部分６２は、カバーの正面部４２、４３の終端４５に与えられ、相補的なベルクロ（登録商標）部分６４は、カバーの背面部分４４上における一巻きの場所に与えられる。ベルクロ（登録商標）部分６２、６４が貼り付けられた時点で、「ワイシャツ巻き」梱包６６が形成され、スーツケースまたは他のもので容易に輸送することが可能となる。
【００３３】
この梱包は、折りたたまれるよりもむしろ巻き上げられているので、ワイシャツ自身に折り目または折れ部分は付け加わらない。梱包には柔軟性があるが、さらに、たとえ押しつぶされても、ワイシャツおよびカバーの巻かれた層が互いに支え合うので、巻きものは折り目が付くことに対してある程度の抵抗力を有する。襟は、相対的に堅い入れ物５２により保護されているので、いずれにしても保護される。
【００３４】
上述した実施の形態は、限定されるようには構成されない。たとえば、入れ物５２はカバーの一端に接続されるように示され説明されたが、カバーは、本質的には、入れ物が分離した状態で、すべての側面および終端に沿って封印された、通常の衣装バッグのようであってもよい。このような構成において、入れ物は、説明されたように折りたたまれたワイシャツの襟をおおうように滑らかに入れ、ワイシャツおよび入れ物は、カバーの中へいっしょに挿入され、次に、カバーはジッパーで締められ、入れ物の周囲に巻き上げられてもよい。
【００３５】
さらに、本発明の実施の形態における主要な用途は、旅行用のワイシャツの梱包であるが、折りたたむ方法および衣装バッグは、引き続く展示および販売のために販売店へ輸送および発送するワイシャツの梱包に、同様に使用されてもよい。このような梱包技術におけるさらに好ましい特徴は、旅行用にワイシャツを引き続いて梱包する場合、梱包に使用された衣装バッグが購入者によって再利用可能なことである。それゆえに、梱包は、単なる輸送および展示を越えて使用される。
【００３６】
説明されたいずれかの用途に対して、説明された以外の衣装バッグを形成するために、他のいかなる適切な材料が使用されてもよい。たとえば、容器の使い捨て可能なバージョンは、たとえばクリーニングに使用するために、カバー用に紙または軽量のプラスチックシート、入れ物用に段ボール紙から形成することが可能である。さらに、衣装バッグは、天然材料から作られてもよく、たとえばカバーは、綿などの織物から形成されてもよく、入れ物は、皮革から形成されてもよい。
【００３７】
衣装バッグは、好ましくは再利用可能なように十分な堅牢性を有するが、しかし代案としては、衣装バッグが一回使用後に廃棄されることを意図して、堅牢性に比較的劣る材料で形成されてもよい。さらに、入れ物は、たとえばホックにより着脱可能なようにカバーに接続されることで、カバーが取り替えられたり、および／または材料に依存して分離してクリーニングしたりすることを可能にする。
【００３８】
カバーの正面における開口部は、長手方向である必要はない。たとえば、開口部５０がワイシャツをカバーの中へ挿入するのに使用され、または他の終端４５においてワイシャツが並べられる場合、長手方向の開口部は省略することが可能である。さらに、封印する手段はジッパーである必要はなく、たとえば、ベルクロファスナー、または冷凍用バッグ上で見つけられるのと同様な圧力接触プラスチックシールから形成することが可能であり、または開口部５０がワイシャツを挿入するのに使用される場合、完全に省略することが可能である。
【産業上の利用可能性】
【００３９】
本発明は、衣装バッグに利用できる。
【図面の簡単な説明】
【００４０】
【図１】本発明の第１の態様における実施の形態に使用するワイシャツを折りたたむ種々のステージを示す。
【図２】本発明の第１の態様における実施の形態に使用するワイシャツを折りたたむ種々のステージを示す。
【図３】本発明の第１の態様における実施の形態に使用するワイシャツを折りたたむ種々のステージを示す。
【図４】本発明の第１の態様における実施の形態に使用するワイシャツを折りたたむ種々のステージを示す。
【図５】本発明の第１の態様における実施の形態に使用するワイシャツを折りたたむ種々のステージを示す。
【図６】本発明の第１の態様における実施の形態に使用するワイシャツを折りたたむ種々のステージを示す。
【図７】本発明の第１の態様における実施の形態に使用するワイシャツを折りたたむ種々のステージを示す。
【図８】本発明の第２の態様による衣装バッグの実施の形態における３次元図である。
【図９】衣装バッグを開いた構成で示す、図８と同様の図である。
【図１０】図１から図７を参照して説明される方法に従って折りたたまれ、衣装バッグの中へ挿入されるワイシャツを示す、図８と同様の図である。
【図１１】ワイシャツの収納後に再度閉じられ、巻き始めがなされた衣装バッグを示す。
【図１２】巻き上げ構成における図１０の衣装バッグを示す。
【図１３】図８から図１２の衣装バッグの部分を示す入れ物の斜視図である。
【図１４】図１３における１４−１４を通した断面図である。
【図１】
2009518112.tif 000003
【図２】
2009518112.tif 000004
【図３】
2009518112.tif 000005
【図４】
2009518112.tif 000006
【図５】
2009518112.tif 000007
【図６】
2009518112.tif 000008
【図７】
2009518112.tif 000009
【図８】
2009518112.tif 000010
【図９】
2009518112.tif 000011
【図１０】
2009518112.tif 000012
【図１１】
2009518112.tif 000013
【図１２】
2009518112.tif 000014
【図１３】
2009518112.tif 000015
【図１４】
2009518112.tif 000016
【国際調査報告】
2009518112.tif 000017
2009518112.tif 000018